(57)【要約】      （修正有）【課題】進行中の案件であっても、書類の確認が簡単にできると共に名刺を簡単に固定し視認可能とする名刺入れ付きファイルを提供する。【解決手段】書類収納部１０と名刺表示部２とを備えた見開き自在な名刺入れ付きファイル１であって、名刺表示部２は、格子部３と弾性部４と外装部とを備え、格子部３と弾性部４は、名刺の記載内容を視認可能な態様で名刺Ｎを固定するものであり、書類収納部１０と名刺表示部２とを見開くと、書類と名刺Ｎの両方を確認可能であることを特徴とする。【選択図】図１
0003185816.tif 000002
【実用新案登録請求の範囲】
【請求項１】
書類収納部（１０）と名刺表示部（２）とを備えた見開き自在な名刺入れ付きファイル（１）であって、名刺表示部（２）は、格子部（３）と弾性部（４）と外装部（５）とを備え、格子部（３）と弾性部（４）は、名刺（Ｎ）の記載内容を視認可能な態様で名刺（Ｎ）を固定するものであり、書類収納部（１０）と名刺表示部（２）とを見開くと、書類と名刺（Ｎ）の両方を確認可能であることを特徴とする名刺入れ付きファイル。
【請求項２】
格子部（３）と弾性部（４）の挟持によって、名刺（Ｎ）が固定されることを特徴とする請求項１記載の名刺入れ付きファイル。
【請求項３】
格子部（３）は、枠骨（３０）を直交させ複数の長方形を形成するものであり、複数の長方形は、名刺収納部（２０）であり、名刺収納部（２０）の長辺および／または短辺を名刺（Ｎ）よりも短いものとしたことにより、名刺（Ｎ）端部が挟持によって固定されることを特徴とする請求項２記載の名刺入れ付きファイル。
【請求項４】
弾性部（４）は、エチレン酢酸ビニルコポリマーを材質とし、粘着性を有することを特徴とする請求項３記載の名刺入れ付きファイル。
【請求項５】
外装部（５）に孔（５０）を形成したことを特徴とする請求項４記載の名刺入れ付きファイル。
【請求項６】
外装部（５）の孔（５０）を形成するフレーム（５１）が、名刺収納部（２０）の中心位置に、重心支持部（５２）を備えることを特徴とする請求項５記載の名刺入れ付きファイル。
【考案の詳細な説明】
【技術分野】
【０００１】
本考案は、名刺と書類とを収納する名刺入れ付きファイルに関するものである。
【背景技術】
【０００２】
書類や名刺の整理や運搬を目的として、ファイルや書類ケースは、仕事の案件毎に１つといった使い方が多いものである。
そのため従来のファイルや書類ケースは、収納・整理を目的としているため、進行中の案件に使用する場合、使い勝手が悪いものであった。
このような問題を解決する為に、ファイルや書類ケースは様々な工夫がなされている。
【０００３】
例えば特許文献１には、書類を固定する為のバインダーリングを設けた書類ケースが開示されている。しかしながら、名刺を固定する部分がなく整理することができないものであった。
次に特許文献２には、名刺を確認しつつ書類を収納するファイルが開示されている。しかしながら、名刺を確認し、書類を収納することができるものの、見開き状態において書類内容を確認できるものではなかった。
【０００４】
これらの改善策として考えられる特許文献３には、書類を固定する為のペーパーファスナーと視認可能な名刺挿入部を設けた名刺入れ付きファイルが開示されている。しかしながら、書類をペーパーファスナーで固定するものがあるが、固定した書類をめくると名刺内容が確認できなくなり、回避するためにはペーパーファスナーから取り外す手間が必要であった。また、一辺のみが開口している長方形形状の膜材に名刺を挿入するのは面倒であった。
【先行技術文献】
【特許文献】
【０００５】
【特許文献１】特開２００１−２４６８９０号公報
【０００６】
【特許文献２】登録事項用新案３０３１９８５号公報
【０００７】
【特許文献３】実用新案出願公開  平３−２０１９２号公報
【考案の概要】
【考案が解決しようとする課題】
【０００８】
考案が解決しようとする課題は、進行中の案件であっても、書類の確認が簡単にできると共に名刺を簡単に固定し視認可能とする名刺入れ付きファイルを提供することである。
【課題を解決するための手段】
【０００９】
（請求項１記載の考案）
請求項１記載の考案は、書類収納部と名刺表示部とを備えた見開き自在な名刺入れ付きファイルであって、名刺表示部は格子部と弾性部と外装部とを備え、格子部と弾性部は名刺の記載内容を視認可能な態様で名刺を固定するものであり、書類収納部と名刺表示部とを見開くと書類と名刺の両方を確認可能であることを特徴とする。
（請求項２記載の考案）
請求項２記載の考案は、請求項１記載の名刺入れ付きファイルにおいて、格子部と弾性部の挟持によって名刺が固定されることを特徴とする。
（請求項３記載の考案）
請求項３記載の考案は、請求項２記載の名刺入れ付きファイルにおいて、格子部は枠骨を直交させ複数の長方形を形成するものであり、複数の長方形は名刺収納部であり、名刺収納部の長辺および／または短辺を名刺よりも短いものとしたことにより、名刺端部が挟持によって固定されることを特徴とする。
【００１０】
（請求項４記載の考案）
請求項４記載の考案は、請求項３記載の名刺入れ付きファイルにおいて、弾性部はエチレン酢酸ビニルコポリマーを材質とし、粘着性を有することを特徴とする。
（請求項５記載の考案）
請求項５記載の考案は、請求項４記載の名刺入れ付きファイルにおいて、外装部に孔を形成したことを特徴とする。
（請求項６記載の考案）
請求項６記載の考案は、請求項５記載の名刺入れ付きファイルにおいて、外装部の孔を形成するフレームが、名刺収納部の中心位置に、重心支持部を備えることを特徴とする。
【考案の効果】
【００１１】
（請求項１記載の考案の効果）
請求項１記載の考案であると、書類を綴じることなく収容可能なものとなり、名刺を確認しつつ書類の内容を読むことが可能となる。
（請求項２記載の考案の効果）
請求項２記載の考案であると、長方形の一辺から名刺を挿入する必要がなく、挟むだけで名刺固定をすることができる。
（請求項３記載の考案の効果）
請求項３記載の考案であると、名刺が見やすいものとなる。
【００１２】
（請求項４記載の考案の効果）
請求項４記載の考案であると、名刺の固定を行いやすい名刺入れ付きファイルとなる。
（請求項５記載の考案の効果）
請求項５記載の考案であると、外装部の樹脂使用量を削減でき、名刺入れ付きファイルを軽量化することができる。
（請求項６記載の考案の効果）
請求項６記載の考案であると、名刺の重心である名刺の中央が押されて不意に固定が外れることが少なくなる。
【図面の簡単な説明】
【００１３】
【図１】図１は見開いた時の名刺入れ付きファイルの斜視図である。
【図２】図２は閉じた時の名刺入れ付きファイルの斜視図である。
【図３】図３は展開した時の名刺入れ付きファイルの斜視図である。
【考案を実施するための形態】
【００１４】
以下、この考案の名刺入れ付きファイルについて、実施例１と図面に基づき説明する。
【実施例１】
【００１５】
（１．名刺入れ付きファイルの全体的な構成について）
図１は見開いた時の名刺入れ付きファイルの斜視図である。
この名刺入れ付きファイル１は、図１に示すように、書類収納部１０と名刺表示部２とを備えている。書類収納部１０に収納される書類は、Ａ３版〜Ａ５版、Ｂ５版〜Ｂ３版などＩＳＯやＪＩＳ規格の紙が５枚〜５０枚収納される。前述の書類サイズと枚数に合わせて、書類収納部１０と名刺表示部２の縦×横×厚みを設計することができる。
書類収納部１０と名刺表示部２は、ヒンジ部１１によって揺動自在に接続され、バックル１２をバックル受け１３に取り付けることによって、閉じた状態を保つことができる。バックル１２とバックル受け１３以外の固定手段を用いても良い。
【００１６】
（２．名刺表示部２について）
図２は閉じた時の名刺入れ付きファイルの斜視図である。図３は展開した時の名刺入れ付きファイルの斜視図である。
図１〜３に示すように、名刺表示部２は、格子部３と弾性部４と外装部５とを備える。
格子部３は、枠骨３０を直交させ複数の長方形を形成するものであり、複数の長方形は、名刺収納部２０となる。
格子部３と弾性部４は、名刺Ｎの記載内容を視認可能な態様で名刺Ｎを挟持して固定するものであり、弾性部４は、図３に示すようにヒンジ部２１で接続され格子部３と外装部５を折り畳み、図１に示すように挟まれた態様となる。
【００１７】
（３．格子部３について）
格子部３は、図１に示すように、弾性部４が名刺収納部２０となるように、前記名刺収納部２０の枠骨３０を備えている。
そして、名刺Ｎの少なくとも１辺を、格子部３と弾性部４とが挟持することにより、名刺Ｎは固定される。
名刺収納部２０は、長方形の長辺および／または短辺が名刺Ｎよりも短いものとしたことにより、名刺Ｎが固定されることが好ましい。
例えば、５５×９１ｍｍという４号サイズの名刺Ｎの場合、名刺収納部２０が５４×９１ｍｍおよび／または５５×９０ｍｍとなるように格子部３を設計することができる。このようにすると、名刺Ｎの２辺を格子部３と弾性部４とが挟持し名刺Ｎが不意に外れにくいものとなる。また、このような場合、名刺を撓ませて名刺収納部２０に取り付けるので、５５×９０ｍｍなど長方形の長辺が名刺Ｎよりも短いものとするのが好ましい。
次に、名刺入れ付きファイル１がＩＳＯ２１６Ａ４版の大きさに対応している場合、Ａ４版は２１０×２９７ｍｍであるから、５５×９１ｍｍという４号サイズの名刺Ｎは縦３枚×横３枚の合計９枚の名刺Ｎを収納することができる。したがって、枠骨３０は直交し複数の長方形を形成するものであり、図１の場合は、縦４本と横４本の枠骨３０が縦３枚×横３枚の名刺収納部２０を形成している。
その他、２号３号名刺サイズや５１×８９ｍｍの欧米名刺サイズに対応させることもできる。
【００１８】
（４．各部の材質について）
書類収納部１０、格子部３、外装部５には、硬質樹脂を用いることができる。硬質樹脂として例えば、ポリプロピレン、ポリスチレン、ポリエチレンテレフタレートなどを例示することができる。
弾性部４には、粘着性を有する軟質樹脂が好ましい。このようにすると、弾性部４は、硬質樹脂である格子部３と外装部５に挟み込まれる態様となり、衝撃吸収を可能としつつ変形し難い名刺入れ付きファイル１となる。また、格子部３と弾性部４による名刺Ｎの固定も、弾性部４が有する粘着性により好適なものとなる。
粘着性を有する軟質樹脂として、エチレン酢酸ビニルコポリマー（ＥＶＡ）を用いるのが好ましい。エチレン酢酸ビニルコポリマーは、焼却したとしても環境に対する影響が小さいものである。
【００１９】
（５．外装部５について）
図２に示すように、外装部５に孔５０を形成することもできる。孔５０を形成すると、外装部５の樹脂使用量を削減でき、名刺入れ付きファイル１を軽量化することができる。
また、外装部５の孔５０を形成するフレーム５１が、名刺収納部２０の中心位置に、重心支持部５２を備えることが好ましい。このように設計すると、外装部５側から名刺Ｎの重心である名刺Ｎの中央が押されて不意に固定が外れることが少なくなる。さらに、孔５０とフレーム５１の段差および弾性部４の粘着性により、名刺入れ付きファイル１を手で掴んだ時に滑り止め効果を発揮するとするものとなる。
その他、エチレン酢酸ビニルコポリマーにおいて、酢酸ビニル含有率を大きくし、弾性部４をさらに軟質にすることもできる。
【００２０】
（６．実施例１記載の名刺入れ付きファイル１の効果）
実施例１記載の名刺入れ付きファイル１であれば、以下のような効果が発生する。
まず、図２に示す名刺入れ付きファイル１を閉じた状態からバックル１２を外し、名刺表示部２を揺動させ、図１に示す名刺入れ付きファイル１を開いた状態とする。
次に、枠骨３０と弾性部４の間に名刺Ｎを差し込むという手軽な方法で、書類収納部１内の関連書類と共に名刺Ｎの保存をすることが可能なものとなる。
したがって、書類収納部１０と名刺表示部２とを見開くと、書類記載内容と名刺記載内容の両方が確認可能であることから、書類とそれに関連する名刺Ｎを整理するのに最適な名刺入れ付きファイル１となる。また、従来技術とは異なり、名刺入れ付きファイル１を開けたらすぐに書類を確認することができ、バインダー等で閉じる必要もないものである。
【産業上の利用可能性】
【００２１】
実施例１においては、名刺Ｎと関連する書類を中心に説明を行った。しかしながら、例えば、名刺Ｎに対応するものを証拠写真とし、書類を状況説明書面とする使用方法や、名刺Ｎに対応するものをカードゲームのカードとし、書類をカードに関するステータス表とする使用方法も考えられる。
【符号の説明】
【００２２】
Ｎ    名刺
１    名刺入れ付きファイル
１０  書類収納部
１１  ヒンジ部
１２  バックル
１３  バックル受け
２    名刺表示部
２０  名刺収納部
２１  ヒンジ部
３    格子部
３０  枠骨
４    弾性部
５    外装部
５０  孔
５１  フレーム
５２  重心支持部
【図１】
0003185816.tif 000003
【図２】
0003185816.tif 000004
【図３】
0003185816.tif 000005